(57)【要約】【課題】複数の電話機を収容する電話会議主装置において、会議通話における会議参加者の意見を集約し、会議進行を支援する技術を提供する。【解決手段】電話会議の参加者から投票開始を指定するコマンドを受信したら、投票開始を指定した電話機２のプログラマブルキーの機能を集計者用配置に切替え、投票開始を指定した電話機２以外の電話会議の参加者の電話機２のプログラマブルキーの機能を投票者用配置に切替える。そして、投票者用配置に切替えた電話会議に参加中の電話機２のプログラマブルキーが押下または特定コマンドによる投票に係る操作を受信したならば、電話会議の参加者の投票結果を集計し、集計者用配置の投票に係る操作を行った電話機２に該当する表示を変化させる。これにより、会議通話の主催者は会議通話において参加者毎の意見聴取における司会進行を自動化することができ、これにより、会議参加者の意見聴取をスムーズに行うことができる。【選択図】図２
2018160723.tif 000002
【特許請求の範囲】
【請求項１】
電話会議主装置が提供するサービス機能の起動を指示する及びランプ表示を行う複数のプログラマブルキーを備えた複数の電話機を収容し、前記電話機の通話音声及び映像を合成する電話会議機能を備える電話会議主装置であって、
電話会議の参加者から各制御コマンドを受信する電話機コマンド受信手段と、
電話会議の参加者における複数の通話音声及び映像ストリームの合成・配信制御する電話会議制御手段と、
前記電話会議制御手段が指定する前記電話会議の参加者の複数の通話音声及び映像ストリームを合成し配信する電話会議合成手段と、
前記電話会議の参加者が投票した結果を集計する投票結果集計手段と、
前記集計した投票結果を記憶する集計結果記憶手段と、
電話会議の参加者から投票開始を指定するコマンドを受信したら、前記投票開始を指定した電話機のプログラマブルキーの機能を集計者用配置に切替え、前記投票開始を指定した電話機以外の、電話会議の参加者の電話機のプログラマブルキーの機能を投票者用配置に切替える電話機配置制御手段と、
前記集計者用配置と前記投票者用配置を電話機のプログラマブルキーに切替えを指示する電話機配置切替指示手段と、
前記電話会議の参加者が投票した結果と前記投票者用配置の投票項目の表示を指示する電話機配置表示指示手段と、を有し、
前記電話機コマンド受信手段が、当該電話会議に参加中の電話機のいずれかから投票開始要求操作を受け付けたならば、前記電話機配置制御手段に指示して、前記電話会議の参加者に該当する機能を前記プログラマブルキーに割り当てた集計者用の配置を生成し、前記投票開始を要求した電話機の前記プログラマブルキーと前記ランプを前記電話機配置切替指示手段に指示して切替えると共に、
前記投票開始の要求に指定された投票項目に該当する機能を、前記プログラマブルキーに割り当てた前記投票者用配置を生成し、前記投票開始を要求した電話機以外の当該電話会議に参加中の電話機の前記プログラマブルキーと前記ランプを前記電話機配置切替指示手段に指示して切替え、
前記電話機コマンド受信手段が前記投票者用配置に切替えた前記電話会議に参加中の電話機のプログラマブルキーが押下または特定コマンドによる投票に係る操作を受信したならば、
前記投票結果集計手段が、電話会議の参加者の投票結果を集計し、
前記電話機配置制御手段が、前記集計者用配置の投票に係る操作を行った電話機に該当する機能に切替えたボタン位置を特定し、前記電話機配置表示指示手段に指示して表示を変化させることを特徴とする投票集約機能を備える電話会議主装置。
【請求項２】
請求項１に記載の電話会議主装置において、
前記集計者用配置に対応するプログラマブルキーの押下または特定コマンド操作により前記会議通話の参加者の特定操作を受信したならば、前記電話機配置制御手段は該当する参加者の電話機を特定する内線番号と、該当する参加者の投票結果を、前記前記集計者用配置に切替えた電話機の情報表示画面に表示を指示することを特徴とする投票集約機能を備える電話会議主装置。
【請求項３】
請求項１ないし２のいずれか一項に記載の電話会議主装置において、
前記投票者用配置に対応するプログラマブルキーと前記プログラマブルキーのランプと電話機の情報表示画面を、前記電話機コマンド受信手段が受信した投票開始要求より抽出した投票項目数に応じて投票者用配置を生成し、前記電話機配置切替指示手段に指示してプログラマブルキーの機能を切替え、前記投票者用配置に配置された項目名を前記電話機の情報表示画面表示または前記プログラマブルキーのランプにより表示することを、前記電話機配置表示指示手段に指示することを特徴とする投票集約機能を備える電話会議主装置。
【請求項４】
請求項１ないし３のいずれか一項に記載の電話会議主装置において、
前記電話機コマンド受信手段が前記集計者用配置に切替えた電話機から投票項目指定操作を受信したならば、
前記投票結果集計手段が集計した前記集計結果に基づいて、前記電話会議制御手段は、所定の投票項目に投票を行った電話機を抽出し、抽出した電話機の通話音声および映像のみを合成し、電話会議の参加者へ配信することを前記電話会議合成部に指示することを特徴とする投票集約機能を備える電話会議主装置。
【請求項５】
請求項１ないし３のいずれか一項に記載の電話会議主装置において、
前記電話機コマンド受信手段が前記集計者用配置に切替えた電話機から投票項目別会議開催要求操作を受信したならば、
前記投票結果集計手段が集計した前記集計結果に基づいて、前記電話会議制御手段は、投票項目毎に投票済みの電話機を抽出し、抽出した電話機の通話音声および映像を新たな会議通話として合成し配信することで、投票項目別に会議通話を開催することを特徴とする投票集約機能を備える電話会議主装置。
【発明の詳細な説明】
【技術分野】
【０００１】
本発明は、複数の電話機を収容する電話会議主装置に関し、会議通話における会議参加者の意見を集約し、会議進行を支援する技術に関する。
【背景技術】
【０００２】
従来技術として、特許文献１には、投票を実施し投票の集計結果に基づいて、発言権または拒否権を付与する映像音声会議システムが開示されている。具体的には、複数の映像及び通話音声ストリームを再生可能な端末装置間で、発言権または拒否権についての投票を実施し、この投票結果の票数が定められた値を超えた端末装置に発言権を与え、当該端末装置の映像及び通話音声ストリームを配信する技術が記載されている。
【０００３】
しかしながら、特許文献１に記載の映像音声会議システムおいては、発言権を得るには投票を実施しなければならず、会議主催者が意見を聴取したいユーザにすぐに発言権を与えることができず、会議参加者からスムーズな意見聴取が行えないという問題がある。
【０００４】
特許文献１における投票機能を、内線電話機を複数収容する構内交換機に適用しようとした場合、内線電話機の表示器では二十字程度しか表示できないため、スムーズに投票ができない、集計結果を確認できない、という問題がある。
【先行技術文献】
【特許文献】
【０００５】
【特許文献１】特開２００８−５０２４号公報
【発明の概要】
【発明が解決しようとする課題】
【０００６】
本発明は、上記事情に鑑みてなされたものであり、本発明の目的は、電話会議主装置が、自装置に収容された電話機のプログラマブルキーを駆使して、会議通話における意見聴取をスムーズに行い、会議通話における進行を支援する技術を提供することにある。
【課題を解決するための手段】
【０００７】
上記の課題を解決するために、本発明は、電話会議主装置が提供するサービス機能の起動を指示する及びランプ表示を行う複数のプログラマブルキーを備えた複数の電話機を収容し、前記電話機の通話音声及び映像を合成する電話会議機能を備える電話会議主装置であって、電話会議の参加者から各制御コマンドを受信する電話機コマンド受信手段と、電話会議の参加者における複数の通話音声及び映像ストリームの合成・配信制御する電話会議制御手段と、前記電話会議制御手段が指定する前記電話会議の参加者の複数の通話音声及び映像ストリームを合成し配信する電話会議合成手段と、前記電話会議の参加者が投票した結果を集計する投票結果集計手段と、前記集計した投票結果を記憶する集計結果記憶手段と、電話会議の参加者から投票開始を指定するコマンドを受信したら、前記投票開始を指定した電話機のプログラマブルキーの機能を集計者用配置に切替え、前記投票開始を指定した電話機以外の、電話会議の参加者の電話機のプログラマブルキーの機能を投票者用配置に切替える電話機配置制御手段と、前記集計者用配置と前記投票者用配置を電話機のプログラマブルキーに切替えを指示する電話機配置切替指示手段と、前記電話会議の参加者が投票した結果と前記投票者用配置の投票項目の表示を指示する電話機配置表示指示手段と、を有し、前記電話機コマンド受信手段が、当該電話会議に参加中の電話機のいずれかから投票開始要求操作を受け付けたならば、前記電話機配置制御手段に指示して、前記電話会議の参加者に該当する機能を前記プログラマブルキーに割り当てた集計者用の配置を生成し、前記投票開始を要求した電話機の前記プログラマブルキーと前記ランプを前記電話機配置切替指示手段に指示して切替えると共に、前記投票開始の要求に指定された投票項目に該当する機能を、前記プログラマブルキーに割り当てた前記投票者用配置を生成し、前記投票開始を要求した電話機以外の当該電話会議に参加中の電話機の前記プログラマブルキーと前記ランプを前記電話機配置切替指示手段に指示して切替え、前記電話機コマンド受信手段が前記投票者用配置に切替えた前記電話会議に参加中の電話機のプログラマブルキーが押下または特定コマンドによる投票に係る操作を受信したならば、前記投票結果集計手段が、電話会議の参加者の投票結果を集計し、前記電話機配置制御手段が、前記集計者用配置の投票に係る操作を行った電話機に該当する機能に切替えたボタン位置を特定し、前記電話機配置表示指示手段に指示して表示を変化させることを特徴とする。
【発明の効果】
【０００８】
本発明によれば、複数の電話機が参加する会議通話において、電話機のいずれかから投票開始要求操作を受付けた場合に、投票開始要求が指定する投票項目数、投票者範囲指定に基づいて、各会議参加者から投票を受付け、投票結果を会議参加者毎に投票開始要求操作を受付けた電話機のプログラマブルキーのランプ表示にて表示する。したがって、会議通話の主催者は会議通話において参加者毎の意見聴取における司会進行を自動化することができ、これにより、会議参加者の意見聴取をスムーズに行うことができる。
【図面の簡単な説明】
【０００９】
【図１】図１は、本発明の一実施形態に係る電話会議主装置１の概略構成図である。
【図２】図２は、本発明の一実施形態の電話会議主装置１が会議通話を開催中に、投票開始要求を受付け、電話機２から投票を行う動作を説明する為のシーケンス図である。
【図３】図３は、電話会議主装置１の会議通話の処理を説明する為のフローチャートである。
【図４】図４は、電話会議主装置１の投票受付処理を説明する為のフローチャートである。
【図５】図５は、電話会議主装置１のキーコマンド処理を説明するためのフローチャートである。
【図６】図６は、電話会議主装置１の会議通話合成処理を説明するためのフローチャートである。
【図７】図７は、電話会議主装置１の会議通話分離処理を説明するためのフローチャートである。
【発明を実施するための形態】
【００１０】
以下に、本発明の実施の形態について説明する。
図１は、本発明の一実施形態に係る電話会議主装置１の概略構成図である。
図示するように、本実施の形態に係る電話会議主装置１は、複数の電話機２を収容するとともに、図示しない外線を収容し、前記電話機２の内線制御及び外線制御を行う構内交換機である。
【００１１】
電話機２（２−１、２−２、…、２−Ｎ）は、電話会議主装置１に収容された内線電話機であって、ランプ表示機能付きのプログラマブルキーを備え、電話会議主装置１からの指示にランプ表示を点灯・点滅・消灯またはランプ表示の色を変更する。
【００１２】
電話会議主装置１は、電話機インターフェース部１０１と、電話機コマンド受信部１０２と、投票結果集計部１０３と、集計結果記憶部１０４と、電話機配置制御部１０５と、呼制御部１０６と、電話機配置切替指示部１０７と、電話機配置表示指示部１０８と、電話会議制御部１０９と、電話会議合成部１１０と、を有する。
【００１３】
電話機インターフェース部１０１は、複数の電話機２と接続するためのインターフェース部である。
【００１４】
電話機コマンド受信部１０２は、電話機２から会議通話開始要求または会議参加要求または会議離脱要求または会議通話終了要求を受信したならば、電話会議制御部１０９へ送信する。また、会議通話を行っている電話機２から投票開始要求を受信したならば、電話機配置制御部１０５へ送信する。また、電話機コマンド受信部１０２は、会議通話を行っている電話機２が、プログラマブルキーを押下されたことを検知した際に電話会議主装置１へ送信するキーコマンドを受信したならば、投票結果集計部１０３へ送信する。また、電話機コマンド受信部１０２は、会議通話を行っている電話機２から投票項目指定コマンドまたは投票項目別会議開催要求を受信したならば、電話会議制御部１０９へ送信する。
【００１５】
投票結果集計部１０３は、会議通話を行っている電話機２からキーコマンドを、電話機コマンド受信部１０２を介して受信したならば、集計者用配置または投票者用配置に該当するプログラマブルキーかを電話機配置制御部１０５へ問い合わせる。集計者配置に該当するプログラマブルキーであったならば、会議通話を行っている電話機２から受信したキーコマンドと判定結果を、電話機配置制御部１０５へ送信する。投票者用配置に該当するプログラマブルキーであったならば、投票結果集計部１０３は、該当する投票項目と該当する電話機２の内線番号を集計結果記憶部１０４へ登録し、会議通話を行っている電話機２から受信したキーコマンドと判定結果を、電話機配置制御部１０５へ送信する。
【００１６】
集計結果記憶部１０４は、投票結果集計部１０３から受信した投票項目と内線番号を、会議通話を特定する会議通話番号毎に記憶する。また、電話会議制御部１０９から受信した、会議通話開始要求の送信元の電話機２の内線番号を、会議通話を特定する会議通話番号毎に会議通話の集計者として記憶する。また、電話会議制御部１０９から受信した、会議通話の通話音声及び映像の配信を行った電話機２の内線番号のうち、会議通話の集計者として記憶した内線番号以外の内線番号を、会議通話を特定する会議通話番号毎に参加者として記憶する。また、電話会議制御部１０９より受信した、通話音声及び映像の分離・呼切断制御を行った電話機２の内線番号の登録を削除する。
【００１７】
電話機配置制御部１０５は、会議通話を行っている電話機２より投票開始要求を受信したことを電話機コマンド受信部１０２から受信したならば、呼制御部１０６を参照し、該当する会議通話の参加者を抽出する。抽出した会議通話の参加者の内線番号をプログラマブルキーに配置した集計者用配置を生成し、集計結果記憶部１０４を参照し会議通話の集計者の内線番号と、生成した集計者用配置を、電話機配置切替指示部１０７へ送信する。また、電話機配置制御部１０５は、電話機コマンド受信部１０２から受信した投票開始要求により指定された投票項目をプログラマブルキーに配置した投票者用配置を作成し、会議通話の参加者の内線番号と、生成した投票者用配置を、電話機配置切替指示部１０７へ送信する。また、電話機配置制御部１０５は、投票結果集計部１０３より受信したキーコマンドが投票用配置であったならば、キーコマンドの送信元の電話機２の内線番号を集計者用配置から抽出し、投票結果用表示を生成し、電話機配置表示指示部１０８へ送信する。
【００１８】
呼制御部１０６は、会議通話番号毎に会議通話の参加者を管理し、電話機２のプログラマブルキー押下をキーコマンドの受信により検知し、電話機２と連携して呼制御を行う。
【００１９】
電話機配置切替指示部１０７は、電話機配置制御部１０５より受信した集計者用配置または投票者用配置を、指定された内線番号に該当する電話機２のプログラマブルキー機能を切替える為に、電話機インターフェース部１０１を介して電話機２へ送信する。
【００２０】
電話機配置表示指示部１０８は、電話機配置制御部１０５より受信した集計者用配置または投票者用配置に指定された電話機２のプログラマブルキーのランプ表示または画面表示を、電話機配置制御部１０５より受信した表示に切替える為に、電話機インターフェース部１０１を介して電話機２へ送信する。
【００２１】
電話会議制御部１０９は、電話機２より会議通話開始要求または会議参加要求または会議離脱要求または会議通話終了要求を、電話機コマンド受信部１０２を介して受信したならば、要求の送信元の電話機２に該当する内線番号を、呼制御部１０６より参照し、会議通話における合成・配信制御を行う。また、電話会議制御部１０９は、会議通話を行っている電話機２から投票項目指定コマンドを、電話機コマンド受信部１０２を介して受信したならば、投票項目指定コマンドで指定された投票項目に投票済みの内線番号を、集計結果記憶部１０４から参照し、電話会議制御部１０９は、集計結果記憶部１０４から参照した内線番号を、通話音声及び映像の合成を行う内線番号として、電話会議合成部１１０へ送信し、投票項目指定コマンドの送信元の電話機２が含まれる会議通話の全参加者を、通話音声及び映像の配信先として、電話会議合成部１１０へ送信する。また、電話会議制御部１０９は、会議通話を行っている電話機２から投票項目別会議開催要求を電話機コマンド受信部１０２から受信したならば、投票項目別に会議通話参加者の内線番号を集計結果記憶部１０４から参照し、電話会議制御部１０９は、集計結果記憶部１０４から参照した投票項目別に新たな会議を開催し通話音声及び映像を合成・配信するように、電話会議合成部１１０へ送信する。さらに、電話会議制御部１０９は、投票項目別会議開催要求の送信元の電話機２が含まれる会議通話番号の全参加者を削除するように、集計結果記憶部１０４へ送信する。
【００２２】
電話会議合成部１１０は、会議通話において電話会議制御部１０９より指定された内線番号の通話音声及び映像を合成し、電話機インターフェース部１０１を介して電話機２へ配信する。また、電話会議合成部１１０は、電話会議制御部１０９より投票項目別に内線番号を受信したならば、投票項目毎に新たに会議通話を開催する為に、会議通話回路毎に通話音声及び映像を合成し、電話機インターフェース部１０１を介して電話機２へ配信する。
【００２３】
図２は、本発明の一実施形態の電話会議主装置１が会議通話を開催中に、投票開始要求を受付け、電話機２から投票を行う動作を説明する為のシーケンス図である。
ここでは、個々の電話機２を区別するため、符号に枝番を付している。
【００２４】
まず、本シーケンスは、電話機２−１、電話機２−２及び電話機２−３は電話会議主装置１を介して会議通話が行なわれている状態から開始する（Ｓ２０１）。
電話機２は、ユーザから投票開始操作を受け付けると、電話会議主装置１に投票開始要求を送信する（Ｓ２０２）。
【００２５】
これを受けて、電話会議主装置１は、電話機２のプログラマブルキーを集計者用配置に切替える為、会議通話の参加者に基づいて、集計者用配置を生成し、プログラマブルキーの機能切替を電話機２に指示する（Ｓ２０３）。ここでは、集計者用配置は、電話機２−２、電話機２−３に対応するプログラマブルキーが電話機２−１のプログラマブルキーの先頭ボタンより順に割り当てられるものとする。
【００２６】
さらに電話会議主装置１は、電話機２−１から受信した投票開始要求で指定される投票項目に基づいて、投票者用配置を生成し、プログラマブルキーの機能の切替えを電話機２−２と、電話機２−３へ指示する（Ｓ２０４）。ここでは、投票者用配置は、投票開始要求により指定された投票項目数に基づいて、電話機２−２と、電話機２−３のプログラマブルキーの先頭ボタンより順に割り当てられるものとする。
【００２７】
電話機２−２は、ユーザから受付けたプログラマブルキー操作に従い、電話会議主装置１に、プログラマブルキー押下を検知したことをキーコマンドとして送信する（Ｓ２０５）。ここでは、電話機２−２の投票者用配置に切替えたプログラマブルキーが操作されたものとする。
【００２８】
電話会議主装置１は、電話機２−２からプログラマブルキー操作を受付けたならば、受信したキーコマンドと投票者用配置から投票項目を抽出し、電話機２−２に該当する内線番号と関連付けて記憶する（Ｓ２０６）。そして、電話会議主装置１は、プログラマブルキー操作を受付けた電話機２−２に該当する内線番号から、集計者用配置のプログラマブルキーを抽出し、抽出した投票項目に基づいて投票結果用表示を生成する。そして、生成した投票結果用表示へ、ランプ表示の更新を指示する（Ｓ２０７）。電話機２−１は、電話会議主装置１から受信したランプ表示の更新の指示に基づいて、プログラマブルキーのランプ表示を更新する（Ｓ２０８）。
【００２９】
電話機２−３は、ユーザから受付けたプログラマブルキー操作に従い、電話会議主装置１に、プログラマブルキー押下を検知したことをキーコマンドとして送信する（Ｓ２０９）。ここでは、電話機２−３の投票者用配置に切替えたプログラマブルキーが操作されたものとする。
【００３０】
電話会議主装置１は、電話機２−３からプログラマブルキー操作を受付けたならば、受信したキーコマンドと投票者用配置から投票項目を抽出し、電話機２−３に該当する内線番号と関連付けて記憶する（Ｓ２１０）。そして、電話会議主装置１は、プログラマブルキー操作を受付けた電話機２−３に該当する内線番号から、集計者用配置のプログラマブルキーを抽出し、抽出した投票項目に基づいて投票結果用表示を生成する。そして、生成した投票結果用表示へ、ランプ表示の更新を指示する（Ｓ２１１）。電話機２−１は、電話会議主装置１から受信したランプ表示の更新の指示に基づいて、プログラマブルキーのランプ表示を更新する（Ｓ２１２）。
【００３１】
図３は、電話会議主装置１の会議通話の処理を説明する為のフローチャートである。
このフローは、電話会議制御部１０９が電話機コマンド受信部１０２を介して、電話機２より会議通話開始要求を受け付けることにより開始される。
【００３２】
まず、電話機コマンド受信部１０２は、電話機インターフェース部１０１を介して、電話機２より会議通話開始要求を受信するのを待つ（Ｓ３０１）。会議通話開始要求を受信したならば（Ｓ３０１でＹＥＳ）、電話機コマンド受信部１０２は会議通話開始要求を電話会議制御部１０９へ送信し、電話会議制御部１０９は、会議通話開始要求の送信元を会議通話の集計者として記憶するように集計結果記憶部１０４へ登録する（Ｓ３０２）。ここでは、会議参加要求には、送信元の電話機２の内線番号と、ユーザが会議に参加させたい電話機２の内線番号が格納されているものとする。
【００３３】
つぎに、電話会議制御部１０９は、会議通話開始要求の内線番号指定に基づいて、内線番号に該当する電話機２に、通話音声及び映像を合成・配信を行うように電話会議合成部１１０へ送信する。さらに、電話会議制御部１０９は、通話音声及び映像の配信を行った電話機２の内線番号を呼制御部１０６へ送信し、集計結果記憶部１０４に、会議通話の集計者として記憶した内線番号以外の内線番号を会議通話の参加者として登録する（Ｓ３０３）。ここでは、会議通話開始要求の内線番号指定に基づいて、呼制御部１０６が、内線番号に該当する電話機２を呼び出し、招集型の会議通話を行うものとする。
【００３４】
それから、電話機コマンド受信部１０２は、電話機インターフェース部１０１を介して、電話機２より会議参加要求を受信する（Ｓ３０４）、または会議離脱要求を受信する（Ｓ３０６）、電話機インターフェース部１０１を介して、投票開始要求を受信する（Ｓ３０８）、キーコマンドを受信する（Ｓ３１０）、投票項目指定コマンドを受信する（Ｓ３１２）、投票別会議開催要求を受信する（Ｓ３１４）、会議通話終了要求を受信する（Ｓ３１６）、のいずれかを待つ。
【００３５】
会議参加要求を受信したならば（Ｓ３０４でＹＥＳ）、電話機コマンド受信部１０２は、会議参加要求を電話会議制御部１０９へ送信し、電話会議制御部１０９は、会議参加要求を行った電話機２に、通話音声及び映像を合成・配信制御を行う。ここでは、会議参加要求には、送信元の電話機２の内線番号、参加する会議通話番号が格納されているものとする。具体的には、電話会議制御部１０９は、会議通話に未参加の電話機２より、電話機コマンド受信部１０２を介して会議参加要求を受信したならば、呼制御部１０６が確立した会議参加要求の送信元の電話機２の通話路番号を参照する。電話会議制御部１０９が、呼制御部１０６より参照した会議参加要求の送信元の電話機２の通話路番号と、会議参加要求に基づいて決定される会議通話番号との通話路を確立し、会議通話に参加している電話機２の通話音声及び映像を合成・配信を行うように電話会議合成部１１０へ送信する。そして、電話会議合成部１１０は、電話機インターフェース部１０１を介して電話機２へ、会議参加要求を行った電話機２を含めた会議通話参加者の、通話音声及び映像を合成・配信する。さらに、電話会議制御部１０９は、通話音声及び映像の配信制御を行った電話機２の内線番号を呼制御部１０６へ送信し、集計結果記憶部１０４に、通話音声及び映像の配信を行った電話機２の内線番号を会議通話の参加者として登録し、呼制御部１０６は、通話音声及び映像の配信を行った電話機２の呼を制御する（Ｓ３０５）。ここで、電話会議に参加する電話機２と、電話機２が参加する会議通話との通話路を確立する前に、画面表示又は通話音声ガイダンスによりユーザへ新たに参加する参加者の情報もしくは会議通話の参加者情報を通知するようにしてもよい。
【００３６】
会議離脱要求を受信したならば（Ｓ３０６でＹＥＳ）、電話機コマンド受信部１０２は会議離脱要求を電話会議制御部１０９へ送信し、電話会議制御部１０９は、会議通話に参加している電話機２の通話音声及び映像を分離・呼切断制御を行う。ここでは、会議離脱要求には、送信元の電話機２の内線番号と、離脱する会議通話番号が格納されているものとする。具体的には、電話会議制御部１０９は、電話機２より電話機コマンド受信部１０２を介して会議離脱要求を受信したならば、呼制御部１０６が確立した会議離脱要求の送信元の電話機２の通話路番号を参照する。そして、電話会議制御部１０９が、呼制御部１０６より参照した通話路番号と、会議離脱要求に基づいて決定される会議通話番号との通話路を分離し、電話会議制御部１０９は、会議通話に参加している電話機２の通話音声及び映像を分離・呼切断を行うように電話会議合成部１１０へ送信する。そして、電話会議合成部１１０は、電話機インターフェース部１０１を介して電話機２へ、会議離脱要求を行った電話機２以外の通話音声及び映像を合成・配信する。さらに、電話会議制御部１０９は、通話音声及び映像の分離・呼切断制御を行った電話機２の内線番号を呼制御部１０６へ送信し、集計結果記憶部１０４から会議通話の参加者の内線番号を削除する。そして、呼制御部１０６は、通話音声及び映像を分離した電話機２を呼切断する（Ｓ３０７）。ここで、会議離脱要求を行った電話機２の通話路と、会議通話の通話路との通話音声及び映像を分離した後に、画面表示又は通話音声ガイダンスにより会議通話を継続しているユーザへ分離した参加者の情報を通知するようにしてもよい。
【００３７】
投票開始要求を受信したならば（Ｓ３０８でＹＥＳ）、電話機コマンド受信部１０２は投票開始要求を電話機配置制御部１０５へ送信し、電話機配置制御部１０５は、投票受付処理を行う（Ｓ３０９）。ここでは、投票開始要求には、送信元の電話機２の内線番号と、投票を受け付けたい項目の投票項目番号と、投票項目名と、投票項目番号の総数を包含した投票項目数と、投票を受け付けたい複数の電話機２の内線番号を包含した投票者範囲が格納されているものとする。投票受付処理の詳細については、図４で説明する。
【００３８】
キーコマンドを受信したならば（Ｓ３１０でＹＥＳ）、電話機コマンド受信部１０２はキーコマンドを投票結果集計部１０３へ送信し、投票結果集計部１０３は、キーコマンド処理を行う（Ｓ３１１）。ここでは、キーコマンドには、送信元の電話機２の内線番号と、押下されたキー番号を示すボタン位置が格納されているものとする。キーコマンド処理の詳細については、図５で説明する。
【００３９】
会議通話の集計者の電話機２から、投票項目指定コマンドを受信したならば（Ｓ３１２でＹＥＳ）、電話機コマンド受信部１０２は投票項目指定コマンドを電話会議制御部１０９へ送信し、電話会議制御部１０９は、会議通話合成処理を行う（Ｓ３１３）。ここでは、投票項目指定コマンドには、送信元の電話機２の内線番号と、会議通話の集計者が指定した投票項目を示す項目番号が格納されているものとする。会議通話合成処理の詳細については、図６で説明する。
【００４０】
会議通話の集計者の電話機２から、投票別会議開催要求を受信したならば（Ｓ３１４でＹＥＳ）、電話機コマンド受信部１０２は、投票別会議開催要求を電話会議制御部１０９へ送信し、電話会議制御部１０９は、会議通話分離制御を行う（Ｓ３１５）。ここでは、投票別会議開催要求には、送信元の電話機２の内線番号と、新たに会議通話を開催する投票項目を示す項目番号と、新たに会議通話を開催する投票項目の総数を示す投票項目数が格納されているものとする。会議通話分離処理の詳細については、図７で説明する。
【００４１】
会議通話終了要求を受信したならば（Ｓ３１６でＹＥＳ）、電話機コマンド受信部１０２は会議通話終了要求を電話会議制御部１０９へ送信し、電話会議制御部１０９は、会議通話に参加している電話機２の全てを、通話音声及び映像の分離・呼切断制御を行う（Ｓ３１７）。具体的には、電話会議制御部１０９は、会議通話終了要求より抽出した会議通話番号に参加している電話機２の内線番号を呼制御部１０６から参照する。そして、呼制御部１０６より参照した内線番号を、電話会議制御部１０９は、会議通話の通話音声及び映像を分離・呼切断を行うように電話会議合成部１１０へ送信し、電話会議合成部１１０は、電話機インターフェース部１０１を介して電話機２へ、全ての参加者の通話音声及び映像を分離・呼切断する（Ｓ３１７）。さらに、会議通話終了要求に該当する会議通話の参加者情報を全て削除するように、集計結果記憶部１０４と呼制御部１０６へ送信する（Ｓ３１７）。
【００４２】
図４は、電話会議主装置１の投票受付処理を説明する為のフローチャートである。
このフローは、会議通話中に、電話機配置制御部１０５が電話機コマンド受信部１０２を介して、投票開始要求を受信することにより開始される。
【００４３】
まず、電話機コマンド受信部１０２は電話機配置制御部１０５へ電話機２より受信した投票開始要求を送信し、電話機配置制御部１０５は投票開始要求から投票項目数と投票者範囲を抽出する（Ｓ３０９０１）。
【００４４】
そして、電話機配置制御部１０５は、呼制御部１０６を参照し、投票開始要求の送信元の電話機２の内線番号と会議通話番号と、会議通話番号に該当する会議通話に参加している電話機２の内線番号を抽出し、抽出した会議通話の参加者の内線番号と、投票開始要求から抽出した投票者範囲の内線番号と照合する。照合した結果、一致した内線番号を投票者として抽出する。（Ｓ３０９０２）。
【００４５】
抽出した投票者の内線番号を、電話機２の先頭のプログラマブルキーより順に、投票者に該当するボタンとして割り当てた集計者用配置を生成する（Ｓ３０９０３）。
【００４６】
つぎに、電話機配置制御部１０５は、生成した集計者用配置と投票開始要求の送信元の電話機２の内線番号を、電話機配置切替指示部１０７へ送信する。そして、電話機配置切替指示部１０７は、電話機インターフェース部１０１を介して、電話機配置制御部１０５より受信した内線番号に該当する電話機２へ、集計者用配置にプログラマブルキーの機能切替を指示する（Ｓ３０９０４）。
【００４７】
つぎに、電話機配置制御部１０５は、生成した集計者用配置に該当するプログラマブルキーの各々のランプ表示を、投票者から投票を受信していないことを示す未投票表示を生成する（Ｓ３０９０５）。例えば、集計者用配置に該当するプログラマブルキーの各々のランプ表示を、未投票状態を示すランプ消灯として、未投票表示を生成する。
【００４８】
つぎに、投票開始要求を行った電話機２の内線番号と、生成した未投票表示を、電話機配置表示指示部１０８へ送信する。そして、電話機配置表示指示部１０８は、電話機インターフェース部１０１を介して、電話機配置制御部１０５より受信した内線番号に該当する電話機２へ、集計者用配置に該当するプログラマブルキーの未投票表示を指示する（Ｓ３０９０６）。
【００４９】
そして、電話機配置制御部１０５は、投票開始要求から抽出した投票項目数の総数だけ、先頭のプログラマブルキーより順に投票ボタンとして割り当てる投票者用配置を生成する（Ｓ３０９０７）。
【００５０】
つぎに、電話機配置制御部１０５は、生成した投票者用配置と投票者の内線番号を電話機配置切替指示部１０７へ送信する。そして、電話機配置切替指示部１０７は、電話機インターフェース部１０１を介して、電話機配置制御部１０５より受信した内線番号に該当する電話機２へ、投票者用配置にプログラマブルキーの機能の切替えを指示する（Ｓ３０９０８）。
【００５１】
つぎに、電話機配置制御部１０５は、生成した投票者用配置に該当するプログラマブルキーのランプ表示を、投票項目別にユニークな色に点灯指示する投票項目表示を生成する（Ｓ３０９０９）。例えば、投票者用配置に該当するプログラマブルキーを、赤色、青色、緑色など投票項目別に順に定めたユニークな色を点灯するように電話機２へ指示する為の、投票項目表示を生成する。ここで、投票項目別のランプ色表示は、点滅のパターンによりさらに細分化するようにしてもよい。
【００５２】
そして、電話機配置表示指示部１０８は、電話機インターフェース部１０１を介して、電話機配置制御部１０５より受信した内線番号に該当する電話機２へ、投票者用配置に該当するプログラマブルキーの投票項目表示を指示する（Ｓ３０９０８）。そして、図３のステップ３０９へ戻る。
【００５３】
図５は、電話会議主装置１のキーコマンド処理を説明するためのフローチャートである。
このフローは、投票結果集計部１０３が電話機コマンド受信部１０２を介して、キーコマンドを受信することにより開始される。
【００５４】
まず、電話機コマンド受信部１０２は投票結果集計部１０３へ電話機２より受信したキーコマンドを送信し、投票結果集計部１０３は、集計結果記憶部１０４を参照し、キーコマンドの送信元の電話機２が会議通話の集計者か判定する（Ｓ３１１０１）。会議通話の集計者からのキーコマンドであったならば（Ｓ３１１０１でＹＥＳ）、投票結果集計部１０３は、受信したキーコマンドから電話機２で押下されたボタン位置を抽出し、抽出したボタン位置が集計者用配置に該当するプログラマブルキーか判定する（Ｓ３１１０２）。具体的には、会議通話の集計者として集計結果記憶部１０４に登録されている電話機２のプログラマブルキーのうち、電話機配置制御部１０５が集計者用配置に割り当てたボタン位置を、電話機配置制御部１０５を参照し特定する。そして、受信したキーコマンドから抽出したボタン位置と比較する。比較した結果、集計者用配置に該当するプログラマブルキーが押下されたと判定した場合（Ｓ３１１０２でＹＥＳ）、受信したキーコマンドを、電話機配置制御部１０５に送信し、電話機配置制御部１０５は、押下されたボタン位置の集計者用配置から、割り当てられた会議通話の参加者の内線番号を抽出する（Ｓ３１１０３）。
【００５５】
つぎに、電話機配置制御部１０５は、集計者用配置より抽出した会議参加者の内線番号から、集計結果記憶部１０４に登録されている投票結果を参照する（Ｓ３１１０４）。
【００５６】
そして、電話機配置制御部１０５は、押下されたボタン位置に割り当てられた会議参加者の内線番号と、集計結果記憶部１０４に登録されている投票結果から、詳細情報用表示を生成する（Ｓ３１１０５）。例えば、押下されたボタン位置に割り当てられた会議参加者の内線番号を画面上部に配置し、集計結果記憶部１０４に登録されている投票結果が、未投票を示す状態であった場合は、「未投票」の文字列を画面表示し、集計結果記憶部１０４に登録されている投票結果が投票済みを示す状態であった場合、投票開始要求を受信時に指定された投票項目名の文字列を、画面表示した詳細情報用表示を作成する。ここで、会議参加者の保留状態、ミュート状態など会議通話における電話機２の状態表示、または、電話会議主装置１内に登録されている電話帳から会議参加者の情報を参照し、画面表示するようにしてもよい。
【００５７】
そして、電話機配置制御部１０５は、生成した詳細情報用表示と、キーコマンドの送信元の電話機２の内線番号を、電話機配置表示指示部１０８へ送信し、電話機配置表示指示部１０８は、電話機インターフェース部１０１を介して電話機２へ表示を指示する（Ｓ３１１０６）。そして、図３のステップ３１１へ戻る。
【００５８】
会議通話の集計者からのキーコマンドでなかったなら（Ｓ３１１０１でＮＯ）、投票結果集計部１０３は、受信したキーコマンドから電話機２で押下されたボタン位置を抽出し、抽出したボタン位置が投票者用配置に該当するプログラマブルキーか判定する（Ｓ３１１０７）。具体的には、呼制御部１０６より参照した会議通話の参加者の電話機２に割り当てたプログラマブルキーのうち、電話機配置制御部１０５を参照し、投票者用配置に割り当てたボタン位置を特定する。そして、受信したキーコマンドから抽出したボタン位置と一致するか比較する。比較した結果、投票者用配置に該当するプログラマブルキーが押下されたと判定した場合（Ｓ３１１０７でＹＥＳ）、投票結果集計部１０３は、電話機配置制御部１０５を参照し、投票者用配置に該当するプログラマブルキーの投票項目を抽出する（Ｓ３１１０８）。抽出した投票項目と、受信したキーコマンドから抽出した電話機２の内線番号を、集計結果記憶部１０４へ登録する（Ｓ３１１０９）。具体的には、集計結果記憶部１０４が記憶している、内線番号毎に投票を示す状態を投票済みに変更し、投票した投票項目と関連付けて記憶する。さらに、投票項目毎の投票カウント数を一つインクリメントする。
【００５９】
そして、投票結果集計部１０３は、電話機２より受信したキーコマンドを電話機配置制御部１０５に送信し、電話機配置制御部１０５は、キーコマンドの送信元の電話機２の内線番号から、呼制御部１０６より投票開始要求時に投票者配置に切替える前のプログラマブルキーの機能配置とランプ表示を参照し、機能配置を電話機配置切替指示部１０７へ送信し、電話機配置切替指示部１０７は、電話機インターフェース部１０１を介して電話機２へプログラマブルキーの機能の切替えを指示する（Ｓ３１１１０）。さらに、電話機配置制御部１０５は、ランプ表示を電話機配置表示指示部１０８へ送信し、電話機配置表示指示部１０８は、電話機インターフェース部１０１を介して電話機２へプログラマブルキーのランプ表示を指示する（Ｓ３１１１１）。
【００６０】
つぎに、電話機配置制御部１０５は、キーコマンドの送信元の電話機２の内線番号から、集計者用配置に割り当てたボタン位置を特定する（Ｓ３１１１２）。そして、特定したボタン位置のランプ表示を投票結果用表示に切替えるように電話機配置表示指示部１０８へ送信し、電話機配置表示指示部１０８は、電話機インターフェース部１０１を介して電話機２へプログラマブルキーのランプ表示を指示する（Ｓ３１１１３）。そして、図３のステップ３１１へ戻る。
【００６１】
図６は、電話会議主装置１の会議通話合成処理を説明するためのフローチャートである。
このフローは、会議通話中に、電話会議制御部１０９が電話機コマンド受信部１０２を介して、投票項目指定コマンドを受信することにより開始される。
【００６２】
まず、電話機コマンド受信部１０２は、電話会議制御部１０９へ電話機２より受信した投票項目指定コマンドを送信し、電話会議制御部１０９は、受信した投票項目指定コマンドから投票項目を抽出する（Ｓ３１１３０１）。
【００６３】
つぎに、電話会議制御部１０９は、集計結果記憶部１０４より、抽出した投票項目に投票済みの内線番号を参照する（Ｓ３１３０２）。そして、決定した内線番号に該当する電話機２の通話音声及び映像のみを合成し、電話会議の全参加者へ配信するように、電話会議合成部１１０へ送信し、電話会議合成部１１０は、電話機インターフェース部１０１を介して電話機２へ、通話音声及び映像を合成・配信する（Ｓ３１３０３）。そして、図３のステップ３１３へ戻る。具体的には、電話会議制御部１０９は、集計結果記憶部１０４より抽出した投票済みの内線番号を、通話音声及び映像を合成する内線番号として電話会議合成部１１０へ送信し、該当する会議通話に参加中の内線番号を、通話音声及び映像の配信先として電話会議合成部１１０へ送信する。ここで、通話音声及び映像の合成を許可された内線番号に該当する電話機２のプログラマブルキーのランプ表示、映像表示、または通話音声ガイダンスにより、発言権を付与されたことを示す表示を行い、電話機２のユーザに発言を促すようにしてもよい。また、通話音声及び映像の合成を許可されない内線番号に該当する電話機２のプログラマブルキーのランプ表示、映像表示、または通話音声ガイダンスにより、発言権がないことを示す表示を行うようにしてもよい。
【００６４】
図７は、電話会議主装置１の会議通話分離処理を説明するためのフローチャートである。
このフローは、会議通話中に、電話会議制御部１０９が電話機コマンド受信部１０２を介して、投票別会議開催要求を受信することにより開始される。
【００６５】
まず、電話機コマンド受信部１０２は電話会議制御部１０９へ電話機２より受信した投票別会議開催要求を送信し、電話会議制御部１０９は、投票別会議開催要求から投票項目数を抽出する（Ｓ３１５０１）。
【００６６】
つぎに、電話会議制御部１０９は、呼制御部１０６から使用可能な会議通話回路数を参照し、抽出した投票項目数の会議通話回路が使用可能か判定する（Ｓ３１５０２）。抽出した投票項目数の会議通話回路が使用可能であったなら（Ｓ３１５０２でＹＥＳ）、電話会議制御部１０９は、集計結果記憶部１０４より、投票別会議開催要求の送信元の電話機２の内線番号が参加している会議通話番号から、投票項目毎に投票済みの内線番号を参照する（Ｓ３１５０３）。
【００６７】
つぎに、電話会議制御部１０９は、集計結果記憶部１０４より参照した投票項目毎の内線番号全てを、参加している会議通話より退出するように呼制御部１０６と電話会議合成部１１０へ送信し、電話会議合成部１１０は、電話機インターフェース部１０１を介して電話機２へ、通話音声及び映像を分離・呼切断する（Ｓ３１５０４）。そして、電話会議制御部１０９は、集計結果記憶部１０４内の投票別会議開催要求の送信元の電話機２が参加している電話会議に、登録されている内線番号を削除する。
【００６８】
つぎに、電話会議制御部１０９は、集計結果記憶部１０４より参照した投票項目毎の内線番号を、投票項目毎に会議通話回路に通話音声及び映像の合成・配信するように、電話会議合成部１１０へ送信し、電話会議合成部１１０は、電話機インターフェース部１０１を介して電話機２へ、通話音声及び映像を合成・配信する（Ｓ３１５０５）。そして、会議通話番号毎に参加している内線番号を、集計結果記憶部１０４へ登録する。そして、図３のステップ３１５へ戻る。ここで、新たな会議通話回路で通話音声及び映像の合成を許可された内線番号に該当する電話機２のプログラマブルキーのランプ表示、映像表示、または通話音声ガイダンスにより、別の会議通話を開催されたことを示す表示又は通知を行うようにしてもよい。
【００６９】
抽出した投票項目数の会議通話回路が使用可能でなかったなら（Ｓ３１５０２でＮＯ）、投票別会議開催要求を破棄し、図３のステップ３１５へ戻る。ここで、投票別会議開催要求の送信元の電話機２へ、画面表示又は通話音声ガイダンスにより会議開催不可であったことを通知し、さらに、呼制御部１０６から会議通話回路が使用不可であった理由を参照し、画面表示又は通話音声ガイダンスにより通知するようにしてもよい。
【００７０】
以上、本発明の実施の形態について説明した。
本発明の実施の形態において、電話会議主装置１は、電話会議の参加者から投票開始要求を受信したら、投票開始要求の送信元の電話機２のプログラマブルキーの機能を集計者用配置に切替え、投票開始要求の送信元の電話機２以外の電話機２のプログラマブルキーの機能を投票者用配置に切替える。そして、投票者用配置に切替えた電話機２のプログラマブルキーが押下されたことをキーコマンドの受信により検知したならば、該当する投票項目に投票した結果を集計し、集計者用配置の投票に係る操作を行った電話機２に該当するプログラマブルキーのランプを点灯するように電話機２へ指示する。これにより、会議通話の集計者は会議通話において参加者毎の意見聴取における司会進行を自動化することができ、これにより、会議参加者の意見聴取をスムーズに行うことができる。
【００７１】
また、本発明の実施の形態において、電話会議主装置１は、集計者用配置に対応するプログラマブルキーの押下をキーコマンドの受信により検知したならば、集計者用配置に該当する参加者の内線番号と、該当する参加者の投票結果を、集計者用配置に切替えた電話機２に画面表示を指示する。これにより、会議通話の集計者が投票結果の集約操作において、電話機２が未投票か投票項目に投票を行ったかを詳細に知ることでき、会議参加者の意見聴取をスムーズに行うことができる。
【００７２】
また、本発明の実施の形態において、電話会議主装置１は、電話会議の参加者の投票者用配置に対応するプログラマブルキーとプログラマブルキーのランプと電話機の情報表示画面を、受信した投票開始要求より抽出した投票項目数に応じて投票者用配置を生成し、投票開始要求の送信元の電話機２以外の電話機２のプログラマブルキーの機能を、投票者用配置への切替えを指示し、投票者用配置に配置された投票項目名を電話機２の情報表示画面表示または前記プログラマブルキーのランプにより表示する。これにより、会議通話の参加者が投票操作において、プログラマブルキーにどの投票項目が割当てられているか一目でわかるようになり、投票操作における操作性が向上する。
【００７３】
また、本発明の実施の形態において、電話会議主装置１は、電話会議の集計者から投票項目指定コマンドを受信したならば、投票の集計結果に基づいて、所定の投票項目に投票を行った電話機２を抽出し、抽出した電話機２の通話音声及び映像のみを合成し、電話会議の参加者の電話機２へ配信する。これにより、会議通話において、特定の投票項目に投票した会議参加者の意見聴取をスムーズに行うことができる。
【００７４】
また、本発明の実施の形態において、電話会議主装置１は、電話会議の集計者から投票別会議開催要求を受信したならば、投票の集計結果に基づいて、投票項目毎に投票済みの電話機２を抽出し、抽出した電話機２の通話音声及び映像を新たな会議通話回路により合成・配信することで、投票項目別に電話会議を開催する。これにより、電話会議において、特定の投票項目に投票した会議参加者の意見聴取をスムーズに行うことができる。
【００７５】
なお、本発明は上記の実施形態に限定されるものではなく、その要旨の範囲内で数々の変形が可能である。
例えば、上記の実施の形態では、集計者用配置と投票者用配置は電話機２のプログラマブルキーの先頭より順に割り当てているが、本発明はこれに限定されない。電話機２の設定に応じて可変化、もしくは優先度に基づいて動的に割り当てるようにしてもよい。このようにすることで、ユーザにとって電話機２のプログラマブルキーに何の機能が割り当てられるのか認識しやすくなる。
【００７６】
また、上記の実施の形態において、投票項目表示と投票結果表示は、投票項目毎に順にユニークな色を割り当てているが、本発明はこれに限定されない。電話会議主装置１が図示しない投票項目設定記憶部をさらに有し、あらかじめユーザが投票項目名とランプ表示色とランプ表示パターンを含んだ投票項目のひな型を設定により記憶しておき、投票開始要求時にユーザがひな形から投票項目を指定するようにしてもよい。このようにすることで、電話会議のユーザは簡単操作により投票項目を指定することができ、ランプ色とランプ表示パターンにより、投票項目を視認しやすくなる。
【００７７】
また、上記の実施の形態において、電話会議主装置１は、外線網を経由して投票者用配置を割り当てるようにしてもよい。その場合、電話機配置切替指示部１０７は、電話機配置制御部１０５から受信した投票者用配置に割り当てる項目を、外線網にダイヤルキー操作を促す通話音声ガイダンスとして送出し、外線網より受信したＰＢ信号を電話機配置制御部１０５が投票項目に変換し、外線網の通話相手の電話番号とを関連付けて集計結果記憶部１０４に記憶するようにしてもよい。このようにすることで、会議通話における利便性がさらに向上できる。
【００７８】
また、上記の実施の形態において、会議通話の集計者は会議通話開始要求を行い、最初に会議通話に参加した電話機２を会議通話の集計者としているが、本発明はこれに限定されない。会議通話の集計者を、投票開始要求を行った電話機２としてもよい。このようにすることで、会議通話における操作性が向上する。
【００７９】
また、上記の実施の形態において、図１に示す電話会議主装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、及びＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【００８０】
１：電話会議主装置、２：電話機、１０１：電話機インターフェース部、１０２：電話機コマンド受信部、１０３：投票結果集計部、１０４：集計結果記憶部、１０５：電話機配置制御部、１０６：呼制御部、１０７：電話機配置切替指示部、１０８：電話機配置表示指示部、１０９：電話会議制御部、１１０：電話会議合成部
【図１】
2018160723.tif 000003
【図２】
2018160723.tif 000004
【図３】
2018160723.tif 000005
【図４】
2018160723.tif 000006
【図５】
2018160723.tif 000007
【図６】
2018160723.tif 000008
【図７】
2018160723.tif 000009